(57)【要約】【課題】製造工程を煩雑化させず、撮像装置が記憶するダーク補正処理用の画像補正データの容量を減らし、かつダーク補正処理を短時間で行える撮像装置及び画像補正データの生成方法を提供する。【解決手段】撮像装置は、撮像素子５１の複数の画素を画素加算するビニング撮像によって、複数種の画素数の被写体撮像画像を出力する。撮像素子の一画面分の画像補正データ８５を保存したダーク補正用ファイルを、被写体撮像画像の画素数の種類より少ない数だけ記憶する補正情報記憶部と、被写体撮像画像の画素数が画像補正データの画素数と異なる場合に、被写体撮像画像の各画素に対応する補正演算値を画像補正データから求めて補正演算用データ８７を生成する補正演算用データ生成部６３と、被写体撮像画像の各画素を、補正演算用データの対応する画素位置の補正演算値を用いて画素毎に補正する画像補正部６１とを備えた。【選択図】図３
2015053600.tif 000002
【特許請求の範囲】
【請求項１】
撮像素子の複数の画素を画素加算するビニング撮像によって、複数種の画素数の被写体撮像画像を出力する撮像装置であって、
前記撮像素子の一画面分の画像補正データを保存したダーク補正用ファイルを、前記被写体撮像画像の画素数の種類より少ない数だけ記憶する補正情報記憶部と、
前記被写体撮像画像の画素数が前記画像補正データの画素数と異なる場合に、前記被写体撮像画像の各画素に対応する補正演算値を前記画像補正データから求めて補正演算用データを生成する補正演算用データ生成部と、
前記被写体撮像画像の各画素を、前記補正演算用データの対応する画素位置の補正演算値を用いて画素毎に補正する画像補正部と、
を備える撮像装置。
【請求項２】
請求項１に記載の撮像装置であって、
前記画像補正データは、前記撮像素子を遮光状態にして撮像した黒撮像画像に基づいて生成されたものである撮像装置。
【請求項３】
請求項１又は請求項２に記載の撮像装置であって、
前記補正演算用データ生成部は、前記被写体撮像画像の画素数が前記画像補正データの画素数より少ない場合に、前記被写体撮像画像の各画素に対応する位置の前記画像補正データの複数画素からなる画素グループ毎に、前記画像補正データの画素グループ内の各画素の画素加算により前記補正演算値を求めて前記補正演算用データを生成する撮像装置。
【請求項４】
請求項１又は請求項２に記載の撮像装置であって、
前記補正演算用データ生成部は、前記被写体撮像画像の画素数が前記画像補正データの画素数より多い場合に、前記画像補正データの１つの画素の画素値を、該１つの画素に対応する前記被写体撮像画像と同じ複数の画素位置にそれぞれ前記補正演算値として割り当てて前記補正演算用データを生成する撮像装置。
【請求項５】
請求項４に記載の撮像装置であって、
前記補正演算用データ生成部は、前記1つの画素の画素値を前記補正演算用データの複数の画素位置に割り当てた後、前記補正演算用データの各補正演算値をＬＰＦ処理する撮像装置。
【請求項６】
請求項１乃至請求項５のいずれか一項に記載の撮像装置であって、
前記撮像素子を冷却して前記撮像素子の温度を一定に保持する撮像素子冷却部を備える撮像装置。
【請求項７】
請求項１乃至請求項６のいずれか一項に記載の撮像装置であって、
画像補正データは、前記撮像素子を遮光状態にしてビニング撮像した黒撮像画像に基づいて生成されたものである撮像装置。
【請求項８】
請求項７に記載の撮像装置における前記画像補正データの生成方法であって、
前記黒撮像画像の撮像時の画素加算数をｎ画素（ｎは正整数）、
前記被写体撮像画像の撮像時の画素加算数をｍ画素（ｍは正整数）とした場合、
前記黒撮像画像の撮像時における露光時間を、前記被写体撮像画像の撮像時の露光時間に対してｍ／ｎの時間とする画像補正データの生成方法。
【発明の詳細な説明】
【技術分野】
【０００１】
本発明は、撮像装置及び画像補正データの生成方法に関する。
【背景技術】
【０００２】
撮像装置に使用されるＣＣＤ（Charge Coupled Device）型イメージセンサやＣＭＯＳ（Complementary Metal-Oxide Semiconductor）型イメージセンサ等の撮像素子に対しては、暗電流ノイズ等のノイズ成分を補正するダーク補正方法が種々提案されている。特許文献１のダーク補正方法では、撮像素子により被写体を撮像した被写体撮像画像を取得した後、再度撮像素子を遮光した状態で撮像して黒撮像画像を取得する。そして、被写体撮像画像の画像信号から黒撮像画像信号の画像信号を減算することで、ダーク補正処理が施された画像データを生成している。
【先行技術文献】
【特許文献】
【０００３】
【特許文献１】特開２０１０−１４７８１６号公報
【発明の概要】
【発明が解決しようとする課題】
【０００４】
上記のように、ダーク補正処理する場合には、被写体撮像画像を取得する撮像と、黒撮像画像を取得する撮像とを、被写体を撮像する度にセットで行う必要があり、撮像時間が余分にかかる。そこで、黒撮像画像を予め求めておき、画像補正データとして記憶させておくことも考えられるが、例えば複数画素を画素加算するビニング撮像を行う場合には、撮像画像の画素数に対応した黒撮像画像をそのビニング撮像の種類の数だけ用意する必要がある。そのため、多種類の黒撮像画像を撮像して画像補正データを生成する時間が膨大となり、製造工程が煩雑となる。その上、撮像装置に必要とされる各画像補正データを記憶するメモリ容量も増大することになる。
そこで、本発明は、製造工程を煩雑化させず、撮像装置が記憶するダーク補正処理用の画像補正データの容量を減らし、かつダーク補正処理を短時間で行える撮像装置及び画像補正データの生成方法を提供することを目的とする。
【課題を解決するための手段】
【０００５】
本発明は下記構成からなる。
（１）  撮像素子の複数の画素を画素加算するビニング撮像によって、複数種の画素数の被写体撮像画像を出力する撮像装置であって、
上記撮像素子の一画面分の画像補正データを保存したダーク補正用ファイルを、上記被写体撮像画像の画素数の種類より少ない数だけ記憶する補正情報記憶部と、
上記被写体撮像画像の画素数が上記画像補正データの画素数と異なる場合に、上記被写体撮像画像の各画素に対応する補正演算値を上記画像補正データから求めて補正演算用データを生成する補正演算用データ生成部と、
上記被写体撮像画像の各画素を、上記補正演算用データの対応する画素位置の補正演算値を用いて画素毎に補正する画像補正部と、
を備える撮像装置。
（２）  （１）に記載の撮像装置における上記画像補正データの生成方法であって、
上記画像補正データは、前記撮像素子を遮光状態にしてビニング撮像した黒撮像画像に基づいて生成されたものであり、
上記黒撮像画像の撮像時の画素加算数をｎ画素（ｎは正整数）、
上記被写体画像の撮像時の画素加算数をｍ画素（ｍは正整数）とした場合、
上記黒撮像画像の撮像時における露光時間を、上記被写体画像の撮像時の露光時間に対してｍ／ｎの時間とする画像補正データの生成方法。
【発明の効果】
【０００６】
本発明によれば、製造工程を煩雑化させず、撮像装置が記憶するダーク補正処理用の画像補正データの容量を減らし、かつダーク補正処理を短時間で行える。
【図面の簡単な説明】
【０００７】
【図１】本発明の実施形態を説明するための図で、蛍光検出システムの一例を示す外観斜視図である。
【図２】図１に示す画像生成装置の縦断面図である。
【図３】撮像部のブロック構成図である。
【図４】ＣＣＤ型の撮像素子の概略構成を表す平面図である。
【図５】ダーク補正処理の手順を示すフローチャートである。
【図６】（Ａ）、（Ｂ）は画像補正データをリサイズする処理の一例を模式的に示す説明図である。
【発明を実施するための形態】
【０００８】
以下、本発明の実施形態について、図面を参照して詳細に説明する。ここでは、撮像装置の一例として、蛍光物質を含む被観察物に励起光を照射して撮像して得た蛍光画像を表示する蛍光検出システムを用いて説明する。
【０００９】
図１は本発明の実施形態を説明するための図で、蛍光検出システムの一例を示す外観斜視図である。蛍光検出システム１００は、暗箱内の被観察物に向けて励起光を必要に応じて照射して撮像した被写体画像を、適宜な画像処理を施して表示部に表示するものである。この蛍光検出システム１００は、主に、撮像装置を含む画像生成装置１１と画像処理装置１３と有して構成される。
【００１０】
画像生成装置１１は、蓋１５が開閉可能に取り付けられ、中空部１７を有して略直方体に形成された筐体１９と、筐体１９の上部に配置された撮像部２１とを備える。
【００１１】
画像処理装置１３は、パーソナルコンピュータで構成され、本体部２５と、モニタ等の表示部２７と、キーボード２９やマウス３１等の入力部３３とを有する。
【００１２】
本体部２５は、図示はしないがハードディスク等の記憶部を有し、この記憶部に、制御プログラム、制御に必要な各種データ等が記憶されている。また、画像生成装置１１で被写体を撮像した被写体撮像画像の画像データも記憶部に保存できるようになっている。
【００１３】
表示部２７は、例えばＣＲＴや液晶表示装置等で構成され、画像生成装置１１で撮像された画像情報を表示する。また、表示部２７の他に、画像生成装置１１に対して各種の設定や指示を行うための画面等を表示するサブモニタ３５を備えている。
【００１４】
入力部３３は、ユーザがキーボード２９やマウス３１を操作することによって画像処理装置１３への各種の指示を受け付ける。
【００１５】
図２は図１に示す画像生成装置１１の縦断面図である。同図に示すように、画像生成装置１１は、筐体１９の上面部３７に配置され、レンズ部３９を有する撮像部２３と、筐体１９内に設けられ被観察物ＰＳが配置される被写体配置部４１と、被写体配置部４１に配置された被観察物ＰＳに励起光を照射する落射光源４３及び透過光源４５とを備える。
【００１６】
落射光源４３は、筐体内壁面４７の被観察物ＰＳより撮像部２１側に固定され、透過光源４５は、被観察物ＰＳの撮像部２１側とは反対側の筐体底面４９に配置される。落射光源４３と透過光源４５は、画像生成装置１１が蛍光試料撮影モードにセットされた場合に、被観察物ＰＳに応じて少なくとも一方の光源から励起光を被観察物ＰＳに照射させる。
【００１７】
筐体１９は、図１に示す蓋１５が閉じられた際に、中空部１７内に外光が入らない暗箱を構成している。
【００１８】
この画像生成装置１１は、被観察物ＰＳを撮影して取得した被写体撮像画像の画像データを画像処理装置１３に出力する。画像処理装置１３は、入力された画像データに対して、必要に応じて画像処理を施して表示部２７に表示する。
【００１９】
次に、画像生成装置１１に備わる撮像装置としての撮像部２１の詳細について説明する。図３に撮像部２１のブロック構成図を示す。
【００２０】
撮像部２１は、主にレンズ部３９、撮像素子５１、信号処理部５３、メモリ５５、撮像制御部５７、タイミング発生器５９を備え、更に、画像補正部６１と補正演算用データ生成部６３とを備える。
【００２１】
レンズ部３９は、図示は省略するが、例えば複数の光学レンズから成るレンズ群、絞り調整機構、ズーム機構、及び自動焦点調節機構等を含んで構成されている。
【００２２】
撮像素子５１は、本構成においては、複数の画素が二次元配列されたＣＣＤ型イメージセンサを用いている。図４にＣＣＤ型の撮像素子の概略構成を表す平面図を示す。撮像素子５１は、複数の画素に対応する受光部７１、垂直電荷転送路７３、水平電荷転送路７５、及び電荷電圧変換アンプ（フローティングディフュージョンアンプ）７７等を含んで構成されている。この撮像素子５１は、図３に示すタイミング発生器５９からの駆動信号によって、露光により各受光部７１に蓄積される信号電荷を、選択的に他の画素の受光部に蓄積される信号電荷と画素加算するビニング撮像が行える。この画素加算の方法は周知の方法で行え、例えば垂直電荷転送路７３、水平電荷転送路７５、或いは、これら双方の転送路上で行うことができる。
【００２３】
図３に示すように、撮像素子５１は、撮像制御部５７からの指令に基づくタイミング発生器５９からの駆動信号が入力され、この駆動信号に基づいて撮像処理がなされる。撮像素子５１は、レンズ部３９を通して導光された被観察物ＰＳからの光を光電変換し、光電変換された被写体撮像画像の画像信号を信号処理部５３に出力する。
【００２４】
また、撮像素子５１は、ペルチェ素子などの冷却素子８１と、撮像素子５１の温度を検出する温度センサ８３を有する。撮像制御部５７は、冷却素子８１を駆動して撮像素子５１を冷却して、温度センサ８３からの温度検出信号に基づいて冷却素子８１をフィードバック制御することで、撮像素子５１を一定温度に保持する。具体的には、温度センサ８３により検出された撮像素子５１の温度をモニタしながら冷却素子８１をＰＷＭ（パルス幅変調）制御し、撮像素子５１を冷却する。撮像素子５１を冷却することで、暗電流ノイズの発生が抑えられ、一定温度に保持されることで、暗電流ノイズの時間変化も一定に維持できる。
【００２５】
信号処理部５３は、タイミング発生器５９からのタイミング信号を基準に制御され、入力されたアナログ信号に対して相関二重サンプリング処理(Correlated Double Sampling:ＣＤＳ）を施すＣＤＳ回路、及び相関二重サンプリング処理が施されたアナログ信号をデジタル信号に変換するアナログ・デジタル(Analog/Digital:Ａ／Ｄ）変換器等を含んで構成される。信号処理部５３は、撮像素子５１から出力された画像信号を処理したデジタル画像データを、メモリ５５に出力する。
【００２６】
メモリ５５は、入力されたデジタル画像データを一時記憶する。
【００２７】
補正演算用データ生成部６３には、撮像素子５１の一画面分の画像補正データ８５を保存したダーク補正用ファイルが予め登録されている。この画像補正データ８５は、撮像素子５１固有の暗電流ノイズを含むノイズの画面内分布を表す情報であって、例えば装置の製造工場出荷時に、撮像素子５１を遮光状態にして撮像した黒撮像画像を用いて生成される。黒撮像画像は、撮像素子５１の全画素で検出した最大画素数のデータとしてもよく、任意の画素加算数ｍでビニング撮像された画素数のデータとしてもよい。
【００２８】
画像補正データ８５は、ビニング撮像の有無や画素加算数に応じて特定の画素数で記録された一画面分の輝度補正値からなり、ダーク補正用ファイルとして補正演算用データ生成部６３に登録される。この画像補正データ８５は、撮像素子５１によるビニング撮像によって出力される複数種の画素数の被写体撮像画像に対する、画素数の種類の数より少ない数だけ補正演算用データ生成部６３に登録されている。画像補正データ８５は、少なくとも１種類が補正演算用データ生成部６３に登録されていればよい。
【００２９】
撮像制御部５７は、例えば図示しないＣＰＵ、ＲＯＭ、ＲＡＭ、不揮発性ＲＯＭ等を含むコンピュータハードウェアで構成され、不揮発性ＲＯＭには、撮像部２１を制御する制御プログラムが記憶されている。ＣＰＵは、制御プログラムを読み込んで実行することにより、撮像制御部５７に接続された各部を制御する。
【００３０】
撮像制御部５７は、接続された各部を制御して、被写体配置部４１に配置された被観察物ＰＳを撮像する。その被写体撮像画像の画像データを、詳細を後述する補正演算用データ生成部６３で求めた補正演算用データ８７を用いて、画像補正部６１が演算処理する。画像補正部６１は、演算処理後の画像データを画像処理装置１３へ送信する。この演算処理後の画像データが、暗電流ノイズが除去されたダーク補正処理後の画像データとなる。
【００３１】
次に、上記構成の画像生成装置１１により、ダーク補正処理を行う手順を説明する。
図５にダーク補正処理の手順のフローチャートを示す。まず、蛍光検出システム１００の使用者であるユーザが、図１に示す画像生成装置１１の蓋１５を開けて、筐体内の被写体配置部４１に被観察物ＰＳを載置する。そして、ユーザが蓋１５を閉めて筐体２０内に外光が入らない状態にする。
【００３２】
次に、ユーザが画像処理装置１３の入力部３３を操作して、或いはサブモニタ３５に設定画面を表示して、各種の撮像条件を設定させる。撮像条件には、例えば、ビニング撮像する場合の画素加算数、露光時間等がある。ユーザは、撮像条件を入力した後、撮像開始を指示する。撮像開始が指示されると、ユーザが設定した撮像条件が撮像部２１に送信される。
【００３３】
撮像部２１の撮像制御部５７（図３参照）は、撮像条件を受信したか否かを判断し（Ｓ１）、撮像条件を受信するまで待機する。撮像制御部５７が撮像条件を受信した場合は、その撮像条件に応じた撮像を開始する（Ｓ２）。
【００３４】
撮像制御部５７は、撮影条件に応じた撮影が実行されるようにタイミング発生器５９等を制御する。タイミング発生器５９では、設定された画素加算数で撮像信号が画素加算されるように、リセット信号、垂直同期信号、及び水平同期信号を生成して撮像素子５１に出力すると共に、サンプリング信号を信号処理部５３のＣＤＳ回路に出力する。
【００３５】
これにより、撮像素子５１から出力されるビニング撮像され、信号処理部５３を通過した画像信号は、メモリ５５に入力される。そして、メモリ５５に被写体撮像画像が記憶される。
【００３６】
次に、撮像制御部５７は、設定された撮像条件の情報を補正演算用データ生成部６３に出力する。補正演算用データ生成部６３は、メモリ５５に記憶された被写体撮像画像の画素数と、予め記憶されている画像補正データ８５の画素数とを比較する（Ｓ３）。双方の画素数が同じ場合、撮像制御部５７は、画像補正データ８５をそのまま補正演算用データ８７として画像補正部６１に出力する（Ｓ４）。
【００３７】
双方の画素数が異なる場合、撮像制御部５７は、ビニング撮像された被写体撮像画像の各画素に対応する位置毎に、画像補正データ８５に基づいて補正演算値をそれぞれ求めて補正演算用データ８７を生成する。即ち、画像補正データ８５をリサイズして補正演算用データ８７を生成する（Ｓ５）。撮像制御部５７は、生成した補正演算用データ８７を画像補正部６１に出力する。
【００３８】
図６（Ａ）、（Ｂ）に画像補正データ８５をリサイズする処理の一例を模式的に示した。図６（Ａ）に示すように、被写体撮像画像の画素数が画像補正データ８５の画素数より多い場合、画像補正データ８５の１つの画素（例えばＰ）の輝度補正値を、その１つの画素（Ｐ）に対応する被写体撮像画像の複数の画素位置（Ｑ１，Ｑ２，Ｑ３，Ｑ４）に割り当てることで補正演算用データ８７を生成する。
【００３９】
逆に、図６（Ｂ）に示すように、被写体撮像画像の画素数が画像補正データ８５の画素数より少ない場合、被写体撮像画像の各画素に対応する画像補正データ８５の複数画素からなる画素グループ（例えばＧｒ）毎に、画像補正データ８５の画素グループ（Ｇｒ）における各画素（Ｋ１，Ｋ２，Ｋ３，Ｋ４）の輝度補正値をそれぞれ画素加算して補正演算値を求めることで補正演算用データ８７を生成する。
【００４０】
上記例は一例であって、割り当てる画素数や画素加算数、画素位置が異なる場合についても、上記同様に適宜リサイズ処理を行えばよい。
【００４１】
次に、画像補正部６１は、被写体撮像画像の画素数に合わせた補正演算用データ８７を用いて、被写体撮像画像の補正処理を行う（Ｓ６）。即ち、画像補正部６１は、被写体撮像画像の各画素値を、補正演算用データ８７の対応する画素位置の補正演算値を減算して補正画像を生成する。この補正画像の画像データを図１の画像処理装置１３に出力する（Ｓ７）。
【００４２】
なお、補正演算用データ生成部６３は、リサイズして得られた補正演算用データ８７をローパスフィルタ（ＬＰＦ）処理してもよい。その場合、補正演算用データ８７の各画素の補正演算値が滑らかな画面分布となり、高周波ノイズ成分をより低減した補正画像が得られる。
【００４３】
上記のダーク補正処理がなされた被写体撮像画像は、図１に示す画像処理装置１３により必要に応じて画像処理が施されて、表示部２７に高品質な画像となって表示される。
【００４４】
本蛍光検出システム１００では、被観察物ＰＳから生じた微弱な蛍光を検出するために、撮像素子５１を冷却して暗電流の発生を低減させている。しかし、数十分もの長時間露光で撮像すると、暗電流ノイズが被写体撮像画像に重畳されて画像品質を低下させる要因となる。その場合に、予め撮像素子５１の暗電流ノイズを含む素子固有のノイズ成分（輝度補正値）を求めておき、被写体撮像画像の各画素値から求めたノイズ成分を画素単位で減算することで、高品位な画像を得ることができる。
【００４５】
輝度補正値の画面内分布データである画像補正データ８５は、被写体撮像画像の画素数に応じてリサイズし、補正演算用データ８７に変換した後に被写体撮像画像から減算処理する。そのため、ビニング撮像の画素加算数等によって被写体撮像画像の画素数が変化しても、予め用意された画像補正データ８５を用いて、被写体撮像画像の画素数と同じ画素数の補正演算用データ８７をリサイズ処理により生成できる。したがって、本構成では、ビニング撮像の画素加算の種類等によって生じる複数種の被写体撮像画像に応じて、多種類の画像補正データ８５を予め用意する必要はなく、少なくとも１種類の画像補正データ８５があるだけでよい。よって、画像補正データ８５の生成には、黒撮像画像を１回撮像するだけで済み、画像補正データ８５を生成する手間が省け、生成時間を短縮できる。更に、生成した画像補正データ８５を記憶させるためのメモリ容量を低減できる。また、被写体の撮像の度に、ダーク補正用の黒撮像画像を撮像する必要がなく、撮像時間を短縮できる。
【００４６】
画像補正データ８５を生成する際、撮像素子５１により黒撮像画像をビニング撮像すれば、ビニング撮像しない場合と同等の暗電流ノイズを短時間で検出することができる。例えば、画素加算を４×４画素で行うビニング撮像で黒撮像画像を生成する場合、ビニング撮像しない場合の１／１６の撮像時間で済む。同様に、画素加算を４×４画素から８×８画素にした場合、４×４画素の露光時間の１／４の露光時間で同等の暗電流ノイズを検出することができる。
【００４７】
更に、撮像部２１による被写体の撮像時において、ビニング撮像の条件が略一定に設定される場合、黒撮像画像を次の条件で撮像すれば、短時間で必要十分な補正精度が得られる画像補正データ８５を生成できる。黒撮像画像の撮像時の画素加算数をｎ画素（ｎは正整数）、撮像素子による被写体撮像時の画素加算数をｍ画素（ｍは正整数）とした場合、黒撮像画像の撮像時における露光時間を、被写体の撮像時における露光時間に対してｍ／ｎの時間とする。黒撮像画像をこの関係の露光時間で撮像することで、画像補正データ８５を効率良く求めることができ、製造工程を簡単化して、生産効率を向上できる。
【００４８】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
例えば、撮像素子５１としてモノクロＣＣＤ型イメージセンサを用いた構成例を説明したが、これに限らず、ＣＭＯＳ型イメージセンサを用いてもよい。また、原色系のＲＧＢのカラーフィルタ、補色系のＣＭＹのカラーフィルタ、及びこれらを基本とする更に他の色を組み合わせたパターンのカラー撮像素子であってもよい。
【００４９】
以上の通り、本明細書には次の事項が開示されている。
（１）  撮像素子の複数の画素を画素加算するビニング撮像によって、複数種の画素数の被写体撮像画像を出力する撮像装置であって、
上記撮像素子の一画面分の画像補正データを保存したダーク補正用ファイルを、上記被写体撮像画像の画素数の種類より少ない数だけ記憶する補正情報記憶部と、
上記被写体撮像画像の画素数が上記画像補正データの画素数と異なる場合に、上記被写体撮像画像の各画素に対応する補正演算値を上記画像補正データから求めて補正演算用データを生成する補正演算用データ生成部と、
上記被写体撮像画像の各画素を、上記補正演算用データの対応する画素位置の補正演算値を用いて画素毎に補正する画像補正部と、
を備える撮像装置。
（２）  （１）に記載の撮像装置であって、
上記画像補正データは、上記撮像素子を遮光状態にして撮像した黒撮像画像に基づいて生成されたものである撮像装置。
（３）  （１）又は（２）に記載の撮像装置であって、
上記補正演算用データ生成部は、上記被写体撮像画像の画素数が上記画像補正データの画素数より少ない場合に、上記被写体撮像画像の各画素に対応する位置の上記画像補正データの複数画素からなる画素グループ毎に、上記画像補正データの画素グループ内の各画素の画素加算により上記補正演算値を求めて上記補正演算用データを生成する撮像装置。
（４）  （１）又は（２）に記載の撮像装置であって、
上記補正演算用データ生成部は、上記被写体撮像画像の画素数が上記画像補正データの画素数より多い場合に、上記画像補正データの１つの画素の画素値を、その１つの画素に対応する上記被写体撮像画像と同じ複数の画素位置にそれぞれ上記補正演算値として割り当てて上記補正演算用データを生成する撮像装置。
（５）  （４）に記載の撮像装置であって、
上記補正演算用データ生成部は、上記1つの画素の画素値を上記補正演算用データの複数の画素位置に割り当てた後、上記補正演算用データの各補正演算値をＬＰＦ処理する撮像装置。
（６）  （１）乃至（５）のいずれか一項に記載の撮像装置であって、
上記撮像素子を冷却して上記撮像素子の温度を一定に保持する撮像素子冷却部を備える撮像装置。
（７）  （１）乃至（６）のいずれか一項に記載の撮像装置であって、
画像補正データは、上記撮像素子を遮光状態にしてビニング撮像した黒撮像画像に基づいて生成されたものである撮像装置。
（８）  （７）に記載の撮像装置における上記画像補正データの生成方法であって、
上記黒撮像画像の撮像時の画素加算数をｎ画素（ｎは正整数）、
上記被写体撮像画像の撮像時の画素加算数をｍ画素（ｍは正整数）とした場合、
上記黒撮像画像の撮像時における露光時間を、上記被写体撮像画像の撮像時の露光時間に対してｍ／ｎの時間とする画像補正データの生成方法。
【符号の説明】
【００５０】
１１  画像生成装置
２１  撮像部（撮像装置）
３７  レンズ部
５１  撮像素子
５３  信号処理部
５５  メモリ
５７  撮像制御部
５９  タイミング発生器
６１  画像補正部
６３  補正演算用データ生成部
８１  冷却素子
８５  画像補正データ
８７  補正演算用データ
１００  蛍光検出システム
【図１】
2015053600.tif 000003
【図２】
2015053600.tif 000004
【図３】
2015053600.tif 000005
【図４】
2015053600.tif 000006
【図５】
2015053600.tif 000007
【図６】
2015053600.tif 000008